(57)【要約】      （修正有）【課題】小さな力で、対象となる歯と歯の両側の左右、前後のどちらにたいしても、使用者の意図する方向にフロス糸を当て、歯間ブラシも意図する方向に直面するという同時２機能を発揮できるフロス糸ブラシを提供する。【解決手段】フロス支柱の上部にはフロス糸６を、また両内側の下部に横付けにブラシ８を設けてブラッシングしやすいようにしたので磨き残しを減少させた。また、ブラシをフロス糸の下部に設けたのでフロス糸の歯肉への強い接触を和らげ、使用感が増大した。また、簡単にフロス糸をリールからはずし、新フロス糸での清掃が簡単にいくように補充用糸巻き、溝１７、糸留めスリット１３，１４を設けたことにより複数回糸を巻き付けて、使用面積を増やし、短時間で効果的な清掃を可能にした。使い捨てを避けるように、糸巻きをほどくことによって、複数回使用でき、安価に、安全にうつくしい歯間の清掃を可能にした。【選択図】図１
2007130418.tif 000002
【特許請求の範囲】
【請求項１】
１．磨こうとする歯と歯の間にフロス糸を当てれば、フロス糸が対象となる面を作用点として捉えるように柄の回転軸より放射線状突き出した柄の上にフロス糸支柱を２箇所設け、柄の回転軸部のカバーとしてのホールダを設け、ホールダと回転軸の交点を力点とし、軸の下方に支点を設け、この支点の周りを自在に３６０度回転できるようにした。
２．フロス糸を張る支柱を２箇所設け、その支柱の各内側のフロス糸の下部にブラシを横向き、あるいは少し横上向きに植毛して、フロス糸での清掃時、歯と歯の境界部の清掃も出来るようにした、またこのブラシのフロス糸下部の立地から、フロス糸が強く歯肉に当たりすぎる欠点を和らげる副産物効果を引き出す。
３．フロス糸に及ぶ力は通常ホールダの交点で入れた力と作用点までの距離のモーメントとなるが、この発明の原理を梃子の原理によって、支点から作用点までの大きなモーメントとして、作用点のフロス糸に及ぶように支点を柄の最後尾の付近に設置した。
上記内容を複合して機能する歯間ブラシ機能付きフロス糸ブラシ
【請求項２】
歯ブラシの奥の支柱には糸を固定するスリット、螺旋の溝あるいは筋を設け、手前のフロス糸を支える支柱には糸筒と糸を固定するスリットを上下に設け、フロス糸を複数回巻いて、研摩面積を増やせるように、あるいは使用済みのフロス糸を破棄し、新たなフロス糸をリールから引き出し巻き付けることができる構造を加味したフロス糸ブラシ
【発明の詳細な説明】
【技術分野】
【０００１】本発明は歯と歯の間を上手く磨く歯間ブラシやフロス糸に関する。
【背景技術】
【０００２】従来のフロス糸は両端をＤ字方のホールダにフロス糸をわたし、前後にこすって使う使うものであったが、細かい部位、特に奥歯では上手く当てることができず、歯肉に当たりすぎて、出血や、損傷を伴い、万人向きではなった。【０００３】また歯間ブラシのフック状のものもあるが、歯の裏側にきちっと当てることができず、可なりの熟練と時間をかけなければ上手く磨けない欠点があった。
【発明の開示】
【発明が解決しようとする課題】
【０００４】以上に述べた従来の歯間ブラシでは歯の裏側からフック状の柄の先に植毛したブラシでかき出しが出来る形状はしているが、ぴったりと対象の歯に直角に当てることは殆ど不可能であった。【０００５】フロスタイプの物もＤ字型であろうと、歯間というごく狭いところを対象とするので、介助者がいれば直角に正しく出来るかもしれないが、奥歯の歯間部は一人での操作は事実上不可能であった。また鍬型にＤ字フロスを付けた場合の実施例では奥歯の歯間にはフロス糸が入りやすいが左右に揺さぶり時、力が対象面に上手く入らない欠点を持つ。【０００６】Ｄ字型のフロスでは巻きリールから使用するものは手元から引っ張って来るので、途中で緩みすぎたり、絡まったりし易かった。【０００７】奥歯はもちろん、門歯でも鏡を使わずに対象とする歯間部に的確に挿入し、左右、前後どちらでも、対象に向かってフロス糸を当てることが可なり難しく、しかもフロスが歯肉に当たると、研磨剤や糸の強度で歯肉をいためてしまうという問題がある。
【問題を解決するための手段】
【０００８】そして、本発明は上記目的を達成するために、梃子の原理を使って、手元の小さな力で、対象物にぴたっとあたり、直角に当たって安定するようにフロス糸の固定部分と柄のホールダの中心線から見て、ある角度を設け、フロスが対象に当たらなければ、不安定な状態で、対象物を捕らえて安定して作用点と捕らえ、柄の外側に作用点からのモーメントを最大にするための空間を設け、摩擦を少なくし手、柄の下部に支点としての受けを設け、この受けはフロス糸の動きに追随して回転できるように球状面とした。
対象に当たると、僅かな力で大きな力となるように力点間の隙間、距離を定め、数倍の力で対象物に当たり、効率よく発揮するように構成した。
【０００９】またフロス糸が歯肉に当たると相当な痛みを感ずることが多く、これを解決するために、フロス糸を張っている支柱の両内側のフロス糸より下部にブラシを横、あるいは横少し上向きに植毛し、前後、左右の動きで歯の境界域をとらえながら、ブラッシングをし、かつこのブラシによって、フロス糸が歯肉直接に当たらないようになり、緩衝作用をする構造となった。このブラシの構造によって、出血、痛みという問題が解決され、しかも歯の境界域の磨き残しを除去できるようになった。
【００１０】フロス糸固定支柱の一方に数回使用できるフロス糸を巻きつけておき、使用後のフロス糸を破棄し、あらたにフロス糸を巻き衛生的に使用できる巻き着けるためのスリットを設け、使い勝手を良くした。
【発明の効果】
【００１１】上述したように本発明の歯間ブラシ付きフロス糸は小さな力で、対象となる歯と歯の両側の左右、前後のどちらにたいしても、使用者の意図する方向にフロス糸を当て、歯間ブラシも意図する方向に直面するという同時２機能を発揮できるフロス糸ブラシを提供できる。
【００１２】フロス糸の支柱の糸の下部に設けたブラシの作用で、歯間部の頑固な歯垢もかき出せかつ糸の強い力で痛めやすい歯肉への辺りを弱め、厄介なフロスから使いやすい、安全なフロスの転換でこの発明の効果を享受出来るようになる。
【発明の実施するための最良の形態】
【００１３】以下、本発明の実施の形態を図１から図２に基づいて説明する。
【００１４】図１の１はフロス糸の柄のホールダ部分で、２および３はフロス糸の支柱、４および５はフロス糸の留め溝、６はフロス糸、７および８は歯間ブラシ、９はストッパ１０は作用点となるフロス糸戸歯間部との接触面、１１は力点となる柄とホールダとの接触面、１２は支点となる部分、１３糸固定用スリット（奥）１４糸固定用スリット（手前）１５はホールダでこの下で柄が３６０度回転出来る。１６は補充用糸巻きの筒１７はフロス糸を数回張りやすくする溝１８は糸を下部で固定する時のスリットａは力点から作用点までの距離、ｂは力点から支点までの距離、ｃは支点から作用点までの距離、Ｐは力点で入れる力
Ｐａは通常のフロス糸などの直接の力が及ぶ力、本発明の力はＰｃとなる。
Ｐａ＜＜Ｐｃこの式は力が直角に当たるときに成立するので、より大きな清掃能力を発揮する。
【００１５】歯間ブラシの形状は隙間用であるので、山切りカットを採用した。
【図面の簡単な説明】
【００１６】
【図１】本発明の実施形態を示す歯間ブラシ付きフロス糸ブラシ
【図２】本発明のフロス糸ブラシを真上から見た外観図
【図３】請求項２のフロス糸を複数回巻いたときの実施図
【符号の説明】
【００１７】１    フロス糸の柄
２    フロス支柱（奥）
３    フロス支柱（手前）
４    フロス糸巻きボビン（奥）
５    フロス糸巻きボビン（手前）
６    フロス糸
８    歯間ブラシ（奥）
８    歯間ブラシ（手前）
９    ストッパ
１０  作用点
１１  力点
１２  支点
１３  糸固定用スリット（奥）
１４  糸固定用スリット（手前）
１５  ホールダ
１６  糸筒
１７  溝
１８  糸固定スリット下部
ａ    力点から作用点までの距離
ｂ    力点から支点までの距離
ｃ    支点から作用点までの距離
Ｐ    力点での入れる力
【図１】
2007130418.tif 000003
【図２】
2007130418.tif 000004
【図３】
2007130418.tif 000005